【手続補正書】
【提出日】令和2年10月23日(2020.10.23)
【手続補正１】
【補正対象書類名】特許請求の範囲
【補正対象項目名】全文
【補正方法】変更
【補正の内容】
【特許請求の範囲】
【請求項１】
プロセスプラント内のフィールドデバイスを前記プロセスプラント内のコントローラに結合するための分散型マーシャリングモジュールであって、
一対の通信ポートと、
第１の数の電子マーシャリングコンポーネントスロットと、
前記第１の数に等しい第２の数の端子ブロックであって、各端子ブロックが、前記電子マーシャリングコンポーネントスロットの１つと通信可能に接続し、前記フィールドデバイスのそれぞれ１つに通信可能に接続されるように構成される、端子ブロックと、
前記電子マーシャリングコンポーネントスロットに配置される、前記第１の数以下である第３の数の電子マーシャリングコンポーネントであって、前記電子マーシャリングコンポーネントの各々が、前記フィールドデバイスの前記それぞれ１つから信号を受信し、前記受信した信号をＩ／Ｏカードと互換の形式に変換するように構成される、第３の数の電子マーシャリングコンポーネントと、
前記一対の通信ポートに結合されるマイクロプロセッサと、
を備える、分散型マーシャリングモジュール。
【請求項２】
前記マイクロプロセッサが、前記一対の通信ポートでデータを送信及び受信するように構成され、
前記マイクロプロセッサが、デフォルトで、前記一対の通信ポートのうちの第１の１つで伝送し、デフォルトで、前記一対の通信ポートのうちの第２の１つで受信するように構成され、
前記マイクロプロセッサが、伝送する前の所定の期間内に前記一対の通信ポートのうちの前記第１の１つで、予想される定期的なハートビート信号を受信しなかった場合に、前記マイクロプロセッサが、前記一対の通信ポートのうちの前記第１の１つの代わりに、前記一対の通信ポートのうちの前記第２の１つで伝送するようにさらに構成される、請求項１に記載の分散型マーシャリングモジュール。
【請求項３】
前記マイクロプロセッサが、前記一対の通信ポートの各々で定期的なハートビート信号を伝送するように構成される、請求項１または２に記載の分散型マーシャリングモジュール。
【請求項４】
前記電子マーシャリングコンポーネントスロットをスキャンし、
前記電子マーシャリングコンポーネントの各々から、前記変換した信号を受信し、
ヘッドエンドモジュールへの伝送のために、前記受信した変換した信号を前記マイクロプロセッサに通信するか、または
前記マイクロプロセッサによる後の取り出し及び前記ヘッドエンドへの伝送のために、前記受信した変換した信号をメモリデバイスに記憶するように動作可能である、
スキャンモジュールをさらに備える、請求項１から３のいずれか１項に記載の分散型マーシャリングモジュール。
【請求項５】
前記マイクロプロセッサが、
前記一対の通信ポートを介して、宛先アドレスを含むデータを受信し、
前記宛先アドレスが、前記分散型マーシャリングモジュールと関連付けられているかどうかを判定し、
前記宛先アドレスが前記分散型マーシャリングモジュールと関連付けられていない場合に、前記一対の通信ポートのうちの１つを介して、前記受信したデータを伝送するか、または、前記受信したデータを前記フィールドデバイスに対応する前記マーシャリングコンポーネントにルーティングすることによって、前記受信したデータを、前記分散型マーシャリングモジュール上の端子ブロックに通信可能に結合されるフィールドデバイスにルーティングするように構成される、
請求項１から４のいずれか１項に記載の分散型マーシャリングモジュール。
【請求項６】
前記宛先アドレスが、（１）ヘッドエンド、（２）前記分散型マーシャリングモジュールに結合されるフィールドデバイス、または（３）別の分散型マーシャリングモジュールに結合されるフィールドデバイス、のうちの１つを指定し、
前記宛先アドレスが、（１）ヘッドエンド、（２）前記分散型マーシャリングモジュールと関連付けられる電子マーシャリングコンポーネント、または（３）別の分散型マーシャリングモジュールと関連付けられる電子マーシャリングコンポーネント、のうちの１つを指定し、
前記宛先アドレスが、（１）ヘッドエンド、（２）前記分散型マーシャリングモジュール、または（３）別の分散型マーシャリングモジュール、のうちの１つを指定する、請求項１から５のいずれか１項に記載の分散型マーシャリングモジュール。
【請求項７】
プロセスプラント内のフィールドデバイスを前記プロセスプラント内のコントローラに結合するためのヘッドエンドモジュールであって、
前記ヘッドエンドモジュールを第１の分散型マーシャリングモジュールに通信可能に接続し、前記第１の分散型マーシャリングモジュールが、第１のリングアーキテクチャの一部である、第１の通信ポートと、
前記ヘッドエンドモジュールを第２の分散型マーシャリングモジュールに通信可能に接続し、前記第２の分散型マーシャリングモジュールが、前記第１のリングアーキテクチャの一部である、第２の通信ポートと、
前記ヘッドエンドモジュールをＩ／Ｏカードに通信可能に接続し、これが次に、前記コントローラに通信可能に接続される、第３の通信ポートと、
メモリデバイスと、
マイクロプロセッサであって、前記メモリデバイスに結合され、また、
前記第１及び第２の通信ポートの一方または両方を介して、前記第１及び第２の分散型マーシャリングモジュールに結合されるフィールドデバイスから第１のデータを受信し、
前記受信した第１のデータを前記メモリデバイスに配置されるデータベースに記憶し、
前記データベースから、前記受信した第１のデータを取り出し、
前記Ｉ／Ｏカードを介して、前記取り出した第１のデータを前記コントローラに伝送し、
前記Ｉ／Ｏカードを介して、前記コントローラから第２のデータを受信し、
前記第１及び第２の通信ポートの一方または両方を介して、前記第２のデータを前記フィールドデバイスの指定されたものに伝送するように構成される、マイクロプロセッサと、
を備える、ヘッドエンドモジュール。
【請求項８】
前記マイクロプロセッサが、デフォルトで、前記第１及び第２の通信ポートのうちの第１の１つで伝送し、デフォルトで、前記第１及び第２の通信ポートのうちの第２の１つで受信するように構成され、
前記マイクロプロセッサが、伝送する前の所定の期間内に前記第１の通信ポートで、予想される定期的なハートビート信号を受信しなかった場合に、前記マイクロプロセッサが、前記第１の通信ポートの代わりに、前記第２の通信ポートで伝送するようにさらに構成される、請求項７に記載のヘッドエンドモジュール。
【請求項９】
前記マイクロプロセッサが、前記第１及び第２の通信ポートの各々で定期的なハートビート信号を伝送するように構成される、請求項７または８に記載のヘッドエンドモジュール。
【請求項１０】
前記マイクロプロセッサが、
前記第１または第２の通信ポートを介して、宛先アドレスを含むデータを受信し、
前記宛先アドレスが、前記ヘッドエンドモジュールのアドレスであるかどうかを判定し、
前記宛先アドレスが前記ヘッドエンドモジュールの前記アドレスではない場合に、前記第１または第２の通信ポートのうちの１つを介して、前記受信したデータを伝送するか、または、前記宛先アドレスが前記ヘッドエンドモジュールの前記アドレスである場合に、前記受信したデータを前記データベースに記憶するように構成される、
請求項７から９のいずれか１項に記載のヘッドエンドモジュール。
【請求項１１】
前記宛先アドレスが、（１）前記ヘッドエンド、（２）前記分散型マーシャリングモジュールの１つに結合されるフィールドデバイス、のうちの１つを指定し、
前記宛先アドレスが、（１）前記ヘッドエンド、（２）前記分散型マーシャリングモジュールの１つと関連付けられる電子マーシャリングコンポーネント、のうちの１つを指定し、
前記宛先アドレスが、（１）前記ヘッドエンド、（２）前記分散型マーシャリングモジュールの１つ、のうちの１つを指定する、請求項１０に記載のヘッドエンドモジュール。
【請求項１２】
前記ヘッドエンドモジュールを第３の分散型マーシャリングモジュールに通信可能に接続し、前記第３の分散型マーシャリングモジュールが、第２のリングアーキテクチャの一部である、第４の通信ポートと、
前記ヘッドエンドモジュールを第４の分散型マーシャリングモジュールに通信可能に接続し、前記第４の分散型マーシャリングモジュールが、前記第２のリングアーキテクチャの一部である、第５の通信ポートと、をさらに備える、
請求項７から１１のいずれか１項に記載のヘッドエンドモジュール。
【請求項１３】
プロセスプラント内のプロセスを制御するように動作するプロセス制御システムであって、
請求項１から６のいずれか１項に記載の分散型マーシャリングモジュールと、
請求項７から１２のいずれか１項に記載のヘッドエンドモジュールと、
を備える、プロセス制御システム。
【請求項１４】
プロセスプラント内のプロセスを制御するように動作するプロセス制御システムであって、
複数のプロセス制御フィールドデバイスと、
前記複数のプロセス制御フィールドデバイスに通信可能に結合される入力／出力（Ｉ／Ｏ）カードと、
前記Ｉ／Ｏカードに通信可能に結合され、前記Ｉ／Ｏカードを介して、前記複数のプロセス制御フィールドデバイスからデータを受信し、同じく前記Ｉ／Ｏカードを介して、制御信号を前記プロセス制御フィールドデバイスの１つ以上に送信して、前記プロセスの動作を制御するように動作する、コントローラと、
分散型マーシャリングモジュールであって、
一対の通信ポートと、
１つ以上の電子マーシャリングコンポーネントスロットであって、少なくとも１つの電子マーシャリングコンポーネントスロットが、その中に電子マーシャリングコンポーネントを有する、１つ以上の電子マーシャリングコンポーネントスロットと、
前記１つ以上の電子マーシャリングコンポーネントスロットの各々に対応するそれぞれの端子ブロックであって、前記少なくとも１つの電子マーシャリングコンポーネントスロットの前記端子ブロックが、前記複数のフィールドデバイスのうちの１つに通信可能に結合される、それぞれの端子ブロックと、
前記一対の通信ポートに結合されるマイクロプロセッサと、を備える分散型マーシャリングモジュールと、
ヘッドエンドモジュールであって、
前記ヘッドエンドモジュールを前記Ｉ／Ｏカードに結合する第１の通信ポートと、
前記分散型マーシャリングモジュールに通信可能に結合される一対の第２の通信ポートと、
前記一対の第２の通信ポートを介して、前記マイクロプロセッサによって受信される情報を記憶するデータベースがその中に記憶されるメモリデバイスと、
マイクロプロセッサであって、前記メモリデバイスに結合され、
前記一対の第２の通信ポートを介して、データを受信及び伝送し、
受信したデータを前記メモリデバイスに記憶し、
前記メモリデバイスからデータを取り出し、
前記Ｉ／Ｏカードを介して、取り出したデータを前記コントローラに伝送するように構成される、マイクロプロセッサと、を備えるヘッドエンドモジュールと、
を備える、プロセス制御システム。
【請求項１５】
前記プロセス制御システムが、複数の分散型マーシャリングモジュールを備える、請求項１４に記載のプロセス制御システム。
【請求項１６】
前記電子マーシャリングコンポーネントが、前記複数のフィールドデバイスのうちの前記１つから信号を受信し、前記受信した信号を第１の形態から第２の形態に変換するように構成される、請求項１４または１５に記載のプロセス制御システム。
【請求項１７】
前記分散型マーシャリングモジュールが、
前記電子マーシャリングコンポーネントスロットの各々をスキャンし、電子マーシャリングコンポーネントが存在する任意のスロットについて、前記スロットと関連付けられる値を登録するように動作可能である、スキャンモジュールをさらに備える、
請求項１４から１６のいずれか１項に記載のプロセス制御システム。
【請求項１８】
前記分散型マーシャリングモジュール上の前記マイクロプロセッサが、前記一対の通信
ポートのうちの１つの前記スロットと関連付けられる前記値を伝送する、請求項１７に記載のプロセス制御システム。
【請求項１９】
前記ヘッドエンドモジュール上の前記マイクロプロセッサが、
前記Ｉ／Ｏカードを介して、前記コントローラからデータを受信し、
前記コントローラから受信される前記データを、前記フィールドデバイスの特定の１つと関連付けられる宛先分散型マーシャリングモジュール、前記フィールドデバイスの前記特定の１つと関連付けられる宛先電子マーシャリングコンポーネント、または前記フィールドデバイスの前記特定の１つ、のうちの１つを指定する宛先アドレスと関連付け、
前記一対の第２の通信ポートのうちの１つで前記データを伝送することによって、前記コントローラから受信される前記データ、及び前記関連付けられた宛先アドレスを、前記フィールドデバイスの前記特定の１つに伝送するようにさらに構成され、
前記分散型マーシャリングモジュール上の前記一対の通信ポートのうちの第１の１つが、前記ヘッドエンドモジュール上の前記マイクロプロセッサが前記データを伝送した前記一対の第２の通信ポートのうちの前記１つに通信可能に結合され、さらに、
前記分散型マーシャリングモジュール上の前記マイクロプロセッサが、前記ヘッドエンドモジュールから伝送される前記データを受信し、前記宛先アドレスが前記分散型マーシャリングモジュールと関連付けられているかどうかを判定し、
前記宛先アドレスが前記分散型マーシャリングモジュールと関連付けられている場合は、前記データを前記フィールドデバイスの前記特定の１つにルーティングし、
前記宛先アドレスが前記分散型マーシャリングモジュールと関連付けられていない場合は、前記分散型マーシャリングモジュール上の前記一対の通信ポートの前記第２の１つで、前記データ、及び前記関連付けられた宛先アドレスを伝送する、
請求項１４から１８のいずれか１項に記載のプロセス制御システム。
【請求項２０】
前記分散型マーシャリングモジュール上の前記マイクロプロセッサが、
前記一対の通信ポートのうちの第１の１つで、宛先アドレスを含むデータを受信し、前記宛先アドレスが前記ヘッドエンドモジュールを指定している場合は、前記一対の通信ポートのうちの前記第２の１つで、前記宛先アドレスを含む前記データを伝送する、
請求項１４から１９のいずれか１項に記載のプロセス制御システム。
【請求項２１】
前記一対の第２の通信ポートの各々が、イーサネット接続によって、前記分散型マーシャリングモジュール上の前記一対の通信ポートのうちの１つに結合され、
前記イーサネット接続が、前記ヘッドエンドモジュールを前記分散型マーシャリングモジュールに通信可能に接続する、請求項１４から２０のいずれか１項に記載のプロセス制御システム。
【請求項２２】
データをプロセスプラント内のフィールドデバイスから前記プロセスプラント内のコントローラに通信する方法であって、
端子ブロックにおいて、前記フィールドデバイスから前記データを表現する信号を受信することと、
前記端子ブロックに通信可能に接続される電子マーシャリングコンポーネントにおいて、前記受信した信号を第２の信号に変換することと、
前記電子マーシャリングコンポーネントから前記第２の信号を登録することと、
第１の通信ポートまたは第２の通信ポートのいずれかを介して、前記登録した第２の信号を示す信号を、マイクロプロセッサから、前記マイクロプロセッサ及び前記電子マーシャリングコンポーネントから遠隔のヘッドエンドモジュールに伝送することと、
を含む、方法。
【請求項２３】
前記登録した第２の信号を示す前記信号が、デフォルトで、前記第１の通信ポートを介
して、また、伝送する前の所定の期間内に前記第１の通信ポートでいかなる定期的なハートビート信号も検出されなかった場合に、前記第２の通信ポートを介して、前記ヘッドエンドモジュールに伝送される、請求項２２に記載の方法。
【請求項２４】
前記ヘッドエンドモジュールが、１つ以上のＩ／Ｏカードを介して、前記コントローラに通信可能に結合される、請求項２２または２３に記載の方法。
【請求項２５】
前記ヘッドエンドモジュールに、前記登録した第２の信号を示す前記信号を伝送することが、前記登録した第２の信号を示す前記信号を、前記ヘッドエンドモジュールへの通信経路に配置される介在分散型マーシャリングモジュールに伝送することを含む、請求項２２から２４のいずれか１項に記載の方法。
【請求項２６】
前記登録した第２の信号を示す前記信号を前記ヘッドエンドモジュールに伝送することが、前記登録した第２の信号を示す前記信号をリング通信アーキテクチャで伝送することを含む、請求項２２から２５のいずれか１項に記載の方法。
【請求項２７】
Ｉ／Ｏカードを介して、前記登録した第２の信号を示す前記信号を、前記ヘッドエンドモジュールから前記コントローラに伝送することをさらに含む、請求項２２から２６のいずれか１項に記載の方法。
【請求項２８】
プロセスプラント内のプロセスを制御するように動作するプロセス制御システムであって、
複数のプロセス制御フィールドデバイスと、
前記複数のプロセス制御フィールドデバイスに通信可能に結合される入力／出力（Ｉ／Ｏ）カードと、
前記Ｉ／Ｏカードに通信可能に結合され、前記Ｉ／Ｏカードを介して、前記複数のプロセス制御フィールドデバイスからデータを受信し、同じく前記Ｉ／Ｏカードを介して、制御信号を前記プロセス制御フィールドデバイスの１つ以上に送信して、前記プロセスの動作を制御するように動作する、コントローラと、
複数の分散型マーシャリングモジュールであって、各分散型マーシャリングモジュールが、
一対の通信ポートと、
複数の電子マーシャリングコンポーネントスロットと、
電子マーシャリングコンポーネントスロットに配置される電子マーシャリングコンポーネントと、
前記複数の電子マーシャリングコンポーネントスロットの各々に対応するそれぞれの端子ブロックであって、前記電子マーシャリングコンポーネントが配置される前記電子マーシャリングコンポーネントスロットの前記端子ブロックが、前記複数のフィールドデバイスのうちの１つに通信可能に結合される、それぞれの端子ブロックと、
前記一対の通信ポートに結合されるマイクロプロセッサと、を備える複数の分散型マーシャリングモジュールと、
ヘッドエンドモジュールであって、
前記ヘッドエンドモジュールを前記Ｉ／Ｏカードに結合する第１の通信ポートと、
前記複数の分散型マーシャリングモジュールのうちの第１の１つに通信可能に結合される第２の通信ポートと、
前記複数の分散型マーシャリングモジュールのうちの第２の１つに通信可能に結合される第３の通信ポートと、
前記第２及び前記第３の通信ポートを介して、前記マイクロプロセッサによって受信される情報を記憶するデータベースがその中に記憶されるメモリデバイスと、
マイクロプロセッサであって、前記メモリデバイスに結合され、
前記第２及び前記第３の通信ポートを介して、データを受信及び伝送し、
受信したデータを前記メモリデバイスに記憶し、
前記メモリデバイスからデータを取り出し、
前記Ｉ／Ｏカードを介して、取り出したデータを前記コントローラに伝送するように構成される、マイクロプロセッサと、を備えるヘッドエンドモジュールと、
を備える、プロセス制御システム。